(57)【要約】【課題】楽器用機器において、電子回路用電源（電池）交換時に筐体の締結を容易にする。【解決手段】楽器用機器操作側筐体２には脱着可能型保持棒４を有し、操作姿勢の保持を行うことと同時に電池交換のための裏側開閉筐体９の係合に該保持棒４を作用させることによって筐体の開閉及び電池の交換を容易に実現する。【選択図】　図３
2004022731.tif 000002
【特許請求の範囲】
【請求項１】
表面に設けられた操作部と、前記操作部を操作し易い姿勢に保持する補助棒と前記補助棒の脱却により開閉される筐体とから構成される楽器用電子機器。
【請求項２】
前記筐体は、部品収納部に設けられたことを特徴とする請求項１記載の楽器用電子機器。
【請求項３】
前記筐体は、電池収納部に設けられたことを特徴とする請求項１記載の楽器用電子機器。
【発明の詳細な説明】
【０００１】
【発明の属する技術分野】
本発明は、電子機器に係り特に操作部の姿勢を保持する機能を有する楽器用機器の改良に関するものである。
【０００２】
【従来の技術】
メトロノームやチューナーなどの楽器用電子機器は通常、操作部や表示部をその表面に有している。操作部は例えば、メトロノームであれば所望のピッチ音を得るためのボタンやダイヤル等であり、チューナーであれば基準ピッチやモード選択のためのボタンなどである。表示部には通常液晶等が用いられ、現在の設定状況等のさまざまな情報を使用者に視覚的に知らせるものである。また、このような楽器用電子機器は、乾電池等の電源を用いており、筐体係合部の開閉により電池交換を実施していた。
【０００３】
図１は従来の楽器用電子機器である外観斜視図であり、図２はこの楽器用電子機器の側面図である。また図５は、従来型楽器用電子機器の電池交換時の筐体開閉状態を示す断面図である。
【０００４】
図１において、機器の正面となる操作側筐体２に操作ダイヤル１が、その裏側に保持棒４が設けられている。保持棒４は、図２に示すように楽器用電子機器本体裏側の筐体に係合部３を介して取り付けられている。この保持棒４が取り付けられるのは図５に示す裏側開閉筐体９であり、この裏側開閉筐体９の開閉と共に電子機器から脱着される構造となっている。保持棒４は、操作部での操作をし易くしたり表示部の表示を見易くしたりするための表面の角度を変える支持部としての役目を有する。
【０００５】
この楽器用電子機器は、操作ダイヤル１と直結したスイッチ６を具備した印刷配線板７を備え、内部に駆動用電池８を有している。該電池８を着脱する際には、裏側開閉筐体９の係合用凸部９ａと操作側筐体２の係合用凹部溝２ａを支点に該裏側開閉筐体９を回転させ開閉する。電池収納時の裏側筐体９が閉状態を維持するために該裏側筐体９に構成された係合爪９ｂが操作側筐体２に構成された係合爪２ｃを乗り越え且つ嵌合溝２ｂで係合される構造である。
【０００６】
【発明が解決しようとする課題】
上述した従来の楽器用電子機器は、電池交換時に筐体係合部の摩擦力を利用して嵌合保持していたため、以下に示す問題を有している。すなわち、繰り返し電池交換を実施した場合、該係合部が摩耗し摩擦力低下後嵌合困難になり、製品を買い換え等により交換する必要がある。
【０００７】
【課題を解決するための手段】
本発明は、上述した背景に鑑みてなされたもので、楽器用電子機器の筐体と支持部例えば保持棒を係合させこの保持棒の脱却により筐体係合部を開閉することで電池交換可能にするものである。これにより筐体係合部の摩耗を防ぐことをできる。
また、本発明の保持棒には、該楽器用電子機器の操作時の姿勢を保持する機能を具備する構成とした。
【０００８】
【発明の実施の形態】
本発明に係わる楽器用電子機器の実施の形態を、図３を用いて説明する。図３は、本発明の楽器用電子機器の外観斜視図である。操作ダイヤル１が配列された操作側筐体２の側方に係合部３に保持棒４を配置して構成されている。
【０００９】
【実施例】
以下、図面に基づいて本発明における楽器用電子機器の筐体係合部の構成を説明する。図３は本発明における楽器用電子機器の外観斜視図であり、図４はその側面図である。また図６と７は、本発明における楽器用電子機器の構造及び作用を示す図である。
【００１０】
図３において、機器の表面に操作部として操作側筐体２に操作ダイヤル１が、その裏側に保持棒４が設けられている。保持棒４は、図４に示すように楽器用電子機器本体裏側の筐体に係合部５を介して取り付けられている。この保持棒４は、略コの字形状をしており、操作部での操作をし易くしたり表示部の表示を見易くしたりするための表面の角度を変える支持部としての役目を有する。
【００１１】
図６に示すように、操作側筐体２上には、係合部５の周囲に挿入溝２ｄが形成されており、該挿入溝を案内に保持棒４が裏側開閉筐体９上の係合穴９ｃを貫通した状態で保持されている。この保持棒が形成されることにより操作側筐体２と裏側開閉筐体９が絶えず嵌合状態を維持する構造となり、係合爪２ｃ、９ｃによる摩擦作用を必要としない構造である。
【００１２】
次に裏側開閉筐体９を開閉する際の保持棒４の作用について図７に基づいて以下に説明する。保持棒４の材質は、ばね性を持たせた金属及び合成樹脂等の材料から形成されており、そのばね性による撓み力を利用して係合穴９ｃから該保持棒４を脱却させる構造としており且つ、該保持棒４の脱却後に裏側開閉筐体９を開閉して電池の着脱を容易とした構造である。
【００１３】
万一この保持棒４が変形した場合にはこの保持棒４のみを交換すれば良く、製品の買い換え等の必要は生じない。
また保持棒４は撓み力を利用する構造としたが、これに限らず基本的には操作側筐体２と裏側開閉筐体９とを貫通して保持できる構造であればよい。例えば、係合穴９ｃとこれに係合する保持棒４の端部でネジ構造を構成することも考えられる。その場合保持棒４は一体である必要は無く、機器を支え操作部の角度を変えることができる構造を有していればよい。例えば、ネジ部を回し易くするように分割構造をとっても良い。
さらに、形状もコの字状に限らずＵ字状やＶ字状でもよくＬ字状で左右１本づつ取り付けてもよい。
【００１４】
また本実施例では、裏側開閉筐体９を電池収納部に設けこの筐体を脱却することで電池交換する点について述べたが、対象は電池収納部に限らない。裏側開閉筐体９を部品収納部に設け修理対応時や部品交換時等楽器用電子機器を開閉することも可能である。
【００１５】
【発明の効果】
本発明は、以上のような形態で実施され、以下に記載されるような効果を奏する。本発明に係る楽器用電子機器によれば、予め電子回路及び駆動用電池、操作部を具備した楽器用電子機器において、該操作部を操作し易い姿勢を保持する操作棒を備え且つ該楽器用電子機器筐体係合部の嵌合にこの保持棒利用することによって、電池交換時の筐体開閉の際の嵌合部摩擦力を必要とせず容易に脱着交換可能となる。
【図面の簡単な説明】
【図１】従来型楽器用電子機器の外観斜視図である。
【図２】従来型楽器用電子機器の姿勢保持状態を示す側面図である。
【図３】本発明に係る楽器用電子機器の外観斜視図である。
【図４】本発明に係る楽器用機器の姿勢保持状態を示す側面図である。
【図５】従来型楽器用機器の電池交換時開閉状態を示す側面断面図である。
【図６】本発明に係る楽器用機器の構造例を示す断面図である。
【図７】本発明に係る楽器用機器の作用例を示す断面図である。
【符号の説明】
１　操作ダイヤル
２　操作側筐体
２ａ　係合用凹部溝
２ｂ　嵌合溝
２ｃ　係合爪
２ｄ　挿入溝
３　係合部
４　保持棒
５　　係合部
６　スイッチ
７　印刷配線板
８　　電池
９　裏側開閉筐体
９ａ　係合用凸部
９ｂ　係合爪
９ｃ　係合穴
【図１】
2004022731.tif 000003
【図２】
2004022731.tif 000004
【図３】
2004022731.tif 000005
【図４】
2004022731.tif 000006
【図５】
2004022731.tif 000007
【図６】
2004022731.tif 000008
【図７】
2004022731.tif 000009